(57)【特許請求の範囲】
【請求項１】
各住戸に設置され、火災感知器を接続した住宅情報盤と、各住戸の住宅情報盤を多重伝送線を介して接続した統合盤とで構成された集合住宅警報監視統合システムであって、
上記各住戸の住宅情報盤は、戸外試験器を接続可能にして、上記火災感知器が発報したときの実火災信号と、上記戸外試験器による試験火災信号とを、上記多重伝送線に送出するようになっており、
上記統合盤は、各住戸の異常監視機能と呼出通話機能とを有した警報監視盤と、火災が発生した住戸の近隣住戸の住宅情報盤への火災発生を通知する機能を有した住棟受信機とを一体化して構成されており、上記多重伝送線を通じて受けた、実火災信号と試験火災信号とを区別することを特徴とする集合住宅警報監視統合システム。
【請求項２】
上記各住戸の住宅情報盤は、各住宅情報盤に割り当てられたアドレスを付加して、上記実火災信号と試験火災信号を送出しており、
上記統合盤は、各住戸の試験状況を記憶する記憶手段を備えて、
上記多重伝送線を通じて信号を受けたときには、実火災信号と試験火災信号とを区別した後、試験火災信号に付加されているアドレスを認識して、上記記憶手段に試験状況を記憶することを特徴とする請求項１に記載の集合住宅警報監視統合システム。
【請求項３】
上記統合盤は、上記記憶手段に記憶した試験状況を出力する外部出力手段を、更に備えたことを特徴とする請求項２に記載の集合住宅警報監視統合システム。
【請求項４】
上記統合盤は、上記多重伝送線を通じて受けた、実火災信号と試験火災信号とを区別して表示する表示手段を、更に備えたことを特徴とする請求項１又は請求項２に記載の集合住宅警報監視統合システム。
【請求項５】
上記統合盤は、上記多重伝送線を通じて、試験火災信号を受けたときに点灯あるいは点滅する試験火災表示ランプを備えたことを特徴とする請求項１に記載の集合住宅警報監視統合システム。
【請求項６】
上記統合盤は、上記多重伝送線を通じて受けた、実火災信号と試験火災信号とを区別して音を出力する音出力手段を備えたことを特徴とする請求項１に記載の集合住宅警報監視統合システム。
【発明の詳細な説明】
【０００１】
【発明の属する技術分野】
本発明は、統合盤により各住戸の警報監視を統合的に行う構成の集合住宅警報監視統合システムに関する。
【０００２】
【従来の技術】
従来からマンションなどの集合住宅では、警報監視システムとして、管理人室などに警報監視盤を設置する一方、各住戸には住宅情報盤（住戸用受信機）を設置して、各住宅情報盤と、警報監視盤、警報監視盤に更に接続されたロビーインターホンとのインターホン通話を可能とするとともに、住宅情報盤に接続された火災感知器やガス漏れ警報器などの発報があった場合に、このことを警報監視盤に通知するようになっている。
【０００３】
また、これとは別に、管理人室などに住棟受信機を設置し、この住棟受信機に各住戸の住宅情報盤を接続して、住宅情報盤に接続された火災感知器などが発報したときは、住棟受信機が、自動的に近隣住戸の住宅情報盤に火災の発生を通知して、集合住宅全体で統合的に警報監視を行い、住戸人が迅速に避難できるようにもしている。
【０００４】
更に近時では、警報監視盤と住棟受信機とを一体化した統合盤が開発されており、これによって装置の小型化を図り、警報監視統合システムを構成している。
【０００５】
【発明が解決しようとする課題】
ところが、上記従来の警報監視システム（警報監視統合システム）では、各住戸の住宅情報盤と、警報監視盤や住棟受信機、又は統合盤は、フロア毎などの警戒区域単位で個別配線（いわゆる、ぞろ引き配線）によって接続されているため、統合盤等の側では、住宅情報盤から送られてきた信号が、実際の火災による信号（実火災信号）であるのか、試験による信号（試験火災信号）であるのかを判別することができなかった。
【０００６】
すなわち、個別配線では、住宅情報盤からオン・オフ信号によって火災信号を送出しているため、統合盤側では、住宅情報盤に接続した火災感知器が実際に発報したのか、住宅情報盤に戸外の中継器を介して戸外試験器を接続し、この戸外試験器の操作によって、疑似的な発報（住宅情報盤の疑似的な火災信号の検出）がされたのかが、判別できなかった。
【０００７】
また、従来の配線では、１回線に対し、警戒区域単位で複数の住宅情報盤を接続しているので、いずれの住宅情報盤から信号を受けたのかを判別することもできなかった。そのため、戸外試験時には、各住戸側と統合盤側の両方に人を配置する必要があり、試験時の作業効率の向上が望まれていた。
本発明は、このような事情に鑑みてなされたものであり、各住戸の住宅情報盤と統合盤とを、多重伝送線を介して接続するようにし、統合盤側で、実火災信号と試験火災信号とが区別できるようにした集合住宅警報監視統合システムを提供することを目的とする。
【０００８】
【課題を解決するための手段】
上記課題を解決するため、本発明の集合住宅警報監視統合システムは、各住戸に設置され、火災感知器を接続した住宅情報盤と、各住戸の住宅情報盤を多重伝送線を介して接続した統合盤とで構成される。
請求項１では、各住戸の住宅情報盤は、戸外試験器を接続可能にして、火災感知器が発報したときの実火災信号と、戸外試験器による試験火災信号とを、多重伝送線に送出するようになっており、統合盤は、各住戸の異常監視機能と呼出通話機能とを有した警報監視盤と、火災が発生した住戸の近隣住戸の住宅情報盤への火災発生を通知する機能を有した住棟受信機とを一体化して構成されており、多重伝送線を通じて受けた、実火災信号と試験火災信号とを区別している。このシステムでは、実火災信号と試験火災信号の各々は、信号種別が付加された多重信号で送受されるので、統合盤ではこれらを区別して、各々の信号にあった処理が実行できる。
【０００９】
請求項２では、請求項１において、各住戸の住宅情報盤は、各住宅情報盤に割り当てられたアドレスを付加して、実火災信号と試験火災信号を送出しており、統合盤は、各住戸の試験状況を記憶する記憶手段を備えて、多重伝送線を通じて信号を受けたときには、実火災信号と試験火災信号とを区別した後、試験火災信号に付加されているアドレスを認識して、記憶手段に試験状況を記憶する。ここに、統合盤に記憶する試験状況には、住宅情報盤のアドレスの他、そのときの時刻などの試験記録として必要な情報が含まれる。
【００１０】
請求項３では、請求項２において、統合盤は、記憶手段に記憶した試験状況を出力する外部出力手段を、更に備えたことを特徴とする。ここに、外部出力手段には、記録紙に試験状況を印字出力するプリンタの他、フロッピーディスクなどに試験状況データを記憶するディスクドライブ装置なども含まれる。
請求項４では、統合盤は、多重伝送線を通じて受けた、実火災信号と試験火災信号とを区別して表示する表示手段を、更に備えたことを特徴とする。この表示手段には、信号種別を示す他、住宅情報盤のアドレスなどを表示すればよい。
【００１１】
請求項５では、請求項１において、統合盤は、多重伝送線を通じて、試験火災信号を受けたときに点灯あるいは点滅する試験火災表示ランプを備える。これによって、このランプを見れば、戸外試験をしていることが、直感的に分かる。
請求項６では、請求項１において、統合盤は、多重伝送線を通じて受けた、実火災信号と試験火災信号とを区別して音を出力する音出力手段を備える。音出力手段は、ブザー音の高低や、音声メッセージによって、実火災、戸外試験のいずれであるかを知らせる。
【００１２】
【発明の実施の形態】
以下に、本発明の実施の形態について、図面とともに説明する。
図１は、本発明に係る集合住宅警報監視統合システムの構成の一例を示すシステム構成図である。
管理人室や防災管理室などに設置された統合盤１は、各住戸に設置された住宅情報盤２を、多重伝送線Ｌａと通話線Ｌｂとを介して接続している。また、各住宅情報盤２は、試験端子付ドアホン子器３を中継器とし、１又は複数の火災感知器Ｓを接続しており、火災感知器Ｓの発報信号を検出する一方、ドアホン子器３に戸外試験器４を接続したときには、戸外試験器４の操作による疑似的な発報信号を検出する。
【００１３】
このような構成において、各住宅情報盤２と、統合盤１や統合盤１に接続されたロビーインターホン５との間では、通話線Ｌｂを通じてインターホン通話が行われる一方、多重伝送線Ｌａを通じ、インターホン通話等のための制御信号の他、各住宅情報盤２から異常信号や実火災信号、試験火災信号が送出される。すなわち、住宅情報盤２は、火災感知器Ｓの発報を検出したときは実火災信号を送出する一方、戸外試験による疑似的な発報を検出したときは試験火災信号を送出する。
【００１４】
統合盤１は、多重伝送線Ｌａを通じて受けた、実火災信号と試験火災信号とを、多重信号内の信号種別によって区別し、各々の信号にあった処理を実行する。統合盤１は、実火災信号を受けたときには、表示や警報音などで、管理人などに火災の発生を知らせるとともに、実火災信号を送出した住戸に近隣する住戸の住宅情報盤２や、機械室などの共用室に設置された住宅情報盤２、階段や廊下などの共用部に設置されたベルやスピーカから、火災の発生を知らせる。
【００１５】
一方、試験火災信号を受けたときは、表示や音などで、試験信号を受けたことを知らせてから、応答信号を返信する。この返信を受けた住宅情報盤２では、ドアホン子器３から試験結果を表示や音で出力する。なお、この試験時には、予め、統合盤１において、試験復旧スイッチを操作しておけば、試験火災信号を受けた後、所定時間（例えば５秒）が経過したときに、統合盤１の状態を自動的に復旧させることが出来る。
【００１６】
このように本発明では、多重伝送線Ｌａを通じて、各住宅情報盤２のアドレスや、実火災信号と試験火災信号との信号種別などを付加した多重信号を送受するので、統合盤１側は、各住戸において、火災が発生したのか、戸外試験中であるのかが、明確に区別できる。そのため、従来のように、統合盤１側に人を配置し、いちいち確認しながら試験を行う必要がなくなり、作業効率が上がる。
【００１７】
次に、統合盤１の内部構成の一例を図２にブロック図で示す。
統合盤１は、ＣＰＵ等で構成され各部を制御する信号処理部１０、多重伝送線Ｌａを介して各住宅情報盤２あるいはロビーインターホン５との伝送制御を行うための多重伝送部１１、各住宅情報盤２あるいはロビーインターホン５と、ハンドセットＨによる通話線Ｌｂを介した通話を制御するための通話部１２、各種スイッチ、ボタン等で構成された操作部１３、各住宅情報盤２に対応した表示窓や、液晶画面、各種表示ランプなどで表示手段を構成する表示部１４、試験状況を記憶して記憶手段を構成する記憶部１５、外部出力手段の１つとして試験状況を印字出力する印字出力部１６、音出力手段を構成し、スピーカＳＰから火災警報音や試験音を、アラームや音声メッセージなどで出力するための音出力部１７を備えている。
【００１８】
音出力部１７は、実火災信号を受けたときは、「○○号室で火災が発生しました」といった音声メッセージを出力し、試験火災信号を受けたときは、「○○号室から試験信号を受信しました」といった音声メッセージを出力すればよい。また、音出力部１７は、ブザー音の高低などで、実火災、戸外試験のいずれであるかを知らせるようにしてもよい。
【００１９】
信号処理部１０は、通常、多重伝送部１１によるポーリング動作で、各住戸の住宅情報盤２に断線などの異常がないかを監視しているが、住宅情報盤２のいずれかから、アドレスを付加した割り込み信号を受けたときには、この信号が実火災信号であるか試験火災信号であるかを区別した後、試験火災信号であれば、これに付加されているアドレスを認識して、記憶部１５に試験状況を記憶する。これによって、各住宅情報盤２毎に試験記録を保持しておくことができる。
【００２０】
更に、信号処理部１０は、操作部１３の所定の操作がされたときには、記憶部１５に記憶している各住戸に対する試験状況を、印字出力部１６から記録紙に印字出力することができる。
図３には、このときの印字出力した記録紙の一例を示している。ここでは、試験状況を「戸外点検記録」として、アドレスを基に住戸がある棟と住戸番号を、試験実施日ごとに試験火災信号を受けた時刻の順番に記録している。この記憶した試験状況は、日毎に自動的にクリアすれば、記憶部１５の容量がオーバフローすることなく、確実に試験状況が記憶できる。
【００２１】
このように、試験状況を記録紙に出力できるようにすれば、試験の実施が確認し易くなり、試験漏れを防ぐことが出来る。なお、試験状況には、この他、試験実施者の名前など、試験記録として必要な情報を含めることができる。また、試験状況は、印字出力部１６から印字出力する他、ディスクドライブ装置（不図示）から、フロッピーディスクなどに記憶させるようにしてもよい。
【００２２】
次に、図４に、統合盤１の操作部１３と表示部１４とを一体化させた操作パネルの一部の外観を示す。
図において、１４ａはＬＥＤなどで構成された火災表示灯、１４ｂは７セグメント表示器で構成された火災住戸番号表示部、１４ｃは蛍光表示管などで構成され、各種文字や記号などを表示するメッセージ表示部、１４ｄは７セグメント表示器で構成された試験住戸番号表示部である。
【００２３】
統合盤１は、多重信号線Ｌａを通じて、実火災信号を受けたときには、火災表示灯１４ａを点灯あるいは点滅させるとともに、受けた信号のアドレスを基にして、火災住戸番号表示部１４ｂに該当住戸番号を表示する。一方、試験火災信号を受けたときには、メッセージ表示部１４ｃに「戸外点検」等の文字を表示するとともに、受けた信号のアドレスを基にして、試験住戸番号表示部１４ｄに該当住戸番号を表示する。
【００２４】
なお、複数の信号を連続して受けたときには、信号を受ける度に表示を切り換えるようにしてもよいが、信号を順次記憶部１５に記憶しておき、各々の表示送りスイッチ１３ａ，１３ｂを操作することによって、住戸番号などを順に表示するようにしてもよい。
このように、実火災信号と試験火災信号とを区別して表示すれば、管理人などは、従来のように、試験時と実火災時とで同じ表示がされることがないので、両者が混同することがなく、システムの動作状況を一目で把握することができる。また、後になってからの各々の表示を見れば、動作確認もしやすい。
【００２５】
更に、表示パネルには、メッセージ表示部１４ｃ等に加えて、又は、その代わりに、試験火災信号を受けたときに点灯あるいは点滅する試験火災表示ランプを備えることもできる。これによれば、このランプが点灯あるいは点滅していれば、戸外試験の実施中であることが、直感的に分かる。
【００２６】
【発明の効果】
以上の説明からも理解できるように、本発明の請求項１に記載の集合住宅警報監視統合システムは、各住戸の住宅情報盤と統合盤とを多重伝送線を介して接続しているので、住宅情報盤から、火災感知器が発報したときの実火災信号と、戸外試験器による試験火災信号とを多重伝送し、統合盤でこれらを明確に区別することができる。したがって、従来のように、戸外試験時に、統合盤側に人を配置し、いちいち確認しながら試験を実施する必要がなくなり、作業効率を向上できる。また、多重伝送線を用いているので、省配線化が図れ、施工も容易になる。
【００２７】
請求項２では、統合盤は、各住宅情報盤から受けた実火災信号と試験火災信号とを区別し、試験火災信号を基にして試験状況を記憶するので、住宅情報盤毎に試験記録を保持することができる。
請求項３では、統合盤は、記憶した試験状況を記録紙などに出力するので、試験の実施状況が確認し易くなり、また、これを見れば試験漏れを防ぐことが出来る。
【００２８】
請求項４では、統合盤は、実火災信号と試験火災信号とを区別して表示するので、システムの動作状況が一目で把握でき、また、後になってからの動作の確認もしやすくなる。
請求項５では、統合盤は、試験火災信号を受けたときに点灯あるいは点滅する試験火災表示ランプを備えているので、このランプが点灯、点滅していれば、戸外試験の実施中であることが、容易に分かる。
【００２９】
請求項６では、統合盤は、実火災信号と試験火災信号とを区別して音で出力するようになっているので、統合盤が見えない位置にいたとしても、実火災であるのか、戸外試験中であるのかが識別できる。
【図面の簡単な説明】
【図１】本発明に係る集合住宅警報監視統合システムの構成の一例を示す図である。
【図２】統合盤の内部構成の一例を示すブロック図である。
【図３】戸外点検記録の一例を示す図である。
【図４】統合盤の操作パネルの部分構成の一例を示す図である。
【符号の説明】
１・・・統合盤
１０・・・信号処理部
１１・・・多重伝送部
１３・・・操作部
１４・・・表示部
１５・・・記憶部
１６・・・印字出力部
１７・・・音出力部
２・・・住宅情報盤
３・・・試験端子付ドアホン子器
４・・・戸外試験器
Ｓ・・・火災感知器
Ｌａ・・・多重伝送線
Ｌｂ・・・通話線
【図１】
0003551731.tif 000002
【図２】
0003551731.tif 000003
【図３】
0003551731.tif 000004
【図４】
0003551731.tif 000005